(57)【要約】【課題】複数の加熱手段から選択された加熱手段に対応するタイマー残時間を表示するときに、どの加熱手段のタイマー残時間を表示しているかを分かり易くすること。【解決手段】タイマー表示手段２１のレイアウト表示部２２で、右前加熱手段４〜左前加熱手段７の４つの加熱手段のレイアウトを視覚的に認識させるとともに、右前指示ピクト２３ａ〜左前指示ピクト２３ｄの内、レイアウト表示部２２の選択された加熱手段に対応する部分の近傍の指示ピクトを点灯して、どの加熱手段のタイマー残時間を時間表示部２４で表示しているか分かり易くする。【選択図】図４
2012248291.tif 000002
【特許請求の範囲】
【請求項１】
複数の加熱手段と、前記複数の加熱手段から所定の加熱手段を選択する選択手段と、前記複数の加熱手段のレイアウトを表示するレイアウト表示部と前記複数の加熱手段の各々について前記レイアウトの表示に関連付けた少なくとも２種類の表示形態を有する個別表示ピクトを有する選択状態表示部と時間を表示する時間表示部を有するタイマー表示手段とを備えて、前記タイマー表示手段の選択状態表示部にて、前記選択手段で選択した加熱手段に対応する部分とその他の加熱手段に対応する部分とで異なる表示形態とし、前記時間表示部にて前記選択手段で選択した加熱手段のタイマー残時間または加熱継続時間を表示するようにした加熱調理器。
【請求項２】
選択状態表示部を、レイアウト表示部の各々の加熱手段に対応する部分の近傍に個別表示ピクトで構成し、レイアウト表示部と選択手段で選択した加熱手段に対応する前記個別表示ピクトを表示し、その他の加熱手段に対応した個別表示ピクトを非表示とした請求項１に記載の加熱調理器。
【請求項３】
レイアウト表示部は、各々の加熱手段を中抜きの線で表示し、選択状態表示部は、前記レイアウト表示部の各々の加熱手段に対応する部分の前記中抜きの線の内側に個別表示ピクトを備えて、レイアウト表示部と選択手段で選択した加熱手段に対応する前記個別表示ピクトを表示し、その他の加熱手段に対応した個別表示ピクトを非表示とした請求項１に記載の加熱調理器。
【請求項４】
複数の加熱手段の各々についてタイマー残時間を設定または加熱継続時間を計測可能な構成とし、選択状態表示部にて、選択手段で選択された加熱手段に対応する個別表示ピクトを点滅し、その他の加熱手段の内、前記タイマー残時間を設定または加熱継続時間を計測している加熱手段に対応する個別表示ピクトを点灯し、それ以外の加熱手段に対応する個別表示ピクトを消灯するようにした請求項１〜３のいずれか１項に記載の加熱調理器。
【請求項５】
複数の加熱手段の内で何れかの加熱手段の異常を検知すると、選択状態表示部にて、前記異常を検知した加熱手段に対応する個別表示ピクトを表示し、その他の加熱手段に対応する個別表示ピクトを非表示とし、時間表示部にて、タイマー残時間および加熱継続時間と識別可能な表示形態にて前記異常検知手段で検知した異常を示す表示を行うようにした請求項１〜４のいずれか１項に記載の加熱調理器。
【発明の詳細な説明】
【技術分野】
【０００１】
本発明は、一般キッチンや業務用等に用いられる加熱調理器に関するものである。
【背景技術】
【０００２】
従来、この種の加熱調理器、特に、誘導加熱調理器は安全・清潔・高効率という優れた特徴が認知され、普及されている。そして、複数の加熱手段に対応するＬＥＤを各々に備えて、選択手段で複数の加熱手段から選択した所定の加熱手段に対応するＬＥＤを点灯するとともに前記所定の加熱手段のタイマー残時間を設定および表示するものがある（例えば、特許文献１参照）。
【先行技術文献】
【特許文献】
【０００３】
【特許文献１】特開２００２−８１６５６号公報
【発明の概要】
【発明が解決しようとする課題】
【０００４】
しかしながら、前記従来の構成では、加熱手段の数が増えると、各々の加熱手段に対応するＬＥＤがどの加熱手段を示すか分かり難く、一見してどの加熱手段のタイマー残時間を表示しているか識別できないという課題を有していた。
【０００５】
本発明は、前記従来の課題を解決するもので、複数の加熱手段から選択された所定の加熱手段に対応するタイマー残時間を表示するときに、どの加熱手段のタイマー残時間を表示しているかを分かり易くした加熱調理器を提供することを目的とする。
【課題を解決するための手段】
【０００６】
前記従来の課題を解決するために、本発明の加熱調理器は、複数の加熱手段から所定の加熱手段を選択する選択手段と、前記複数の加熱手段のレイアウトを表示するレイアウト表示部と前記複数の加熱手段の各々について前記レイアウトの表示に関連付けた少なくとも２種類の表示形態を有する個別表示ピクトを有する選択状態表示部と時間を表示する時間表示部を有するタイマー表示手段とを備えて、前記タイマー表示手段の選択状態表示部にて、前記選択手段で選択した加熱手段に対応する部分とその他の加熱手段に対応する部分とで異なる表示形態とし、前記時間表示部にて前記選択手段で選択した加熱手段のタイマー残時間または加熱継続時間を表示するようにしたものである。
【０００７】
これによって、タイマー表示手段のレイアウト表示部で複数の加熱手段のレイアウトを視覚的に認識させ、かつどの加熱手段が選択されているか識別可能とするために、選択手段で選択した加熱手段に対応する個別表示ピクトを点灯し、その他の加熱手段に対応する個別表示ピクトを消灯することができる。
【発明の効果】
【０００８】
本発明の加熱調理器は、レイアウト表示部で複数の加熱手段のレイアウトを視覚的に認識させ、その近傍の個別表示ピクトでどの加熱手段が選択されているかを表示して、どの加熱手段のタイマー残時間を時間表示部で表示しているか分かり易くすることができる。
【図面の簡単な説明】
【０００９】
【図１】本発明の実施の形態１〜３における加熱調理器のブロック図
【図２】本発明の実施の形態１における加熱調理器の外観図
【図３】本発明の実施の形態１における加熱調理器の全ての操作・表示手段を示す図
【図４】本発明の実施の形態１における加熱調理器のタイマー表示手段の全表示を示す図
【図５】本発明の実施の形態１における加熱調理器の左前のタイマー残時間表示を示す図
【図６】本発明の実施の形態２における加熱調理器の全加熱手段にタイマー残時間有りで左前のタイマー残時間表示を示す図
【図７】本発明の実施の形態３における加熱調理器の異常表示を示す図
【発明を実施するための形態】
【００１０】
第１の発明は、複数の加熱手段と、前記複数の加熱手段から所定の加熱手段を選択する選択手段と、前記複数の加熱手段のレイアウトを表示するレイアウト表示部と前記複数の加熱手段の各々について前記レイアウトの表示に関連付けた少なくとも２種類の表示形態を有する個別表示ピクトを有する選択状態表示部と時間を表示する時間表示部を有するタイマー表示手段とを備えて、前記タイマー表示手段の選択状態表示部にて、前記選択手段で選択した加熱手段に対応する部分とその他の加熱手段に対応する部分とで異なる表示形態とし、前記時間表示部にて前記選択手段で選択した加熱手段のタイマー残時間または加熱継続時間を表示するようにすることにより、１つのタイマー表示手段で複数の加熱手段のタイマー残時間または加熱継続時間を表示する場合に、タイマー表示手段のレイアウト表示部で複数の加熱手段のレイアウトを視覚的に認識させるとともに、選択手段で選択した加熱手段に対応する個別表示ピクトを点灯し、その他の加熱手段に対応する個別表示ピクトを消灯して、どの加熱手段のタイマー残時間または加熱継続時間を時間表示部で表示しているか分かり易くすることができる。
【００１１】
第２の発明は、特に、第１の発明において、選択状態表示部を、レイアウト表示部の各々の加熱手段に対応する部分の近傍に個別表示ピクトで構成し、レイアウト表示部と選択手段で選択した加熱手段に対応する前記個別表示ピクトを表示し、その他の加熱手段に対応した個別表示ピクトを非表示とするようにすることにより、タイマー表示手段のレイアウト表示部で複数の加熱手段のレイアウトを視覚的に認識させるとともに、レイアウト表示部の選択された加熱手段に対応する部分の近傍の個別表示ピクトを点灯して、どの加熱手段のタイマー残時間または加熱継続時間を時間表示部で表示しているか分かり易くすることができる。
【００１２】
第３の発明は、特に、第１の発明において、レイアウト表示部は、各々の加熱手段を中抜きの線で表示し、選択状態表示部は、前記レイアウト表示部の各々の加熱手段に対応する部分の前記中抜きの線の内側に個別表示ピクトを備えて、レイアウト表示部と選択手段で選択した加熱手段に対応する前記個別表示ピクトを表示し、その他の加熱手段に対応した個別表示ピクトを非表示とするようにすることにより、タイマー表示手段のレイアウト表示部で複数の加熱手段のレイアウトを視覚的に認識させるとともに、レイアウト表示部の選択された加熱手段に対応する部分の中抜きの線の内側の個別表示ピクトを点灯して、どの加熱手段のタイマー残時間または加熱継続時間を時間表示部で表示しているか分かり易くすることができる。
【００１３】
第４の発明は、特に第１〜３のいずれか１つの発明において、複数の加熱手段の各々についてタイマー残時間を設定または加熱継続時間を計測可能な構成とし、選択状態表示部にて、選択手段で選択された加熱手段に対応する個別表示ピクトを点滅し、その他の加熱手段の内、前記タイマー残時間を設定または加熱継続時間を計測している加熱手段に対応する個別表示ピクトを点灯し、それ以外の加熱手段に対応する個別表示ピクトを消灯するようにすることにより、タイマー表示手段のレイアウト表示部で複数の加熱手段のレイアウトを視覚的に認識させるとともに、選択手段で選択された加熱手段に対応する個別表示
ピクトを点滅し、その他の加熱手段の内、前記タイマー残時間を設定または加熱継続時間を計測している加熱手段に対応する個別表示ピクトを点灯し、それ以外の加熱手段に対応する個別表示ピクトを消灯して、どの加熱手段にタイマー残時間または加熱計測時間があり、その内でどの加熱手段のタイマー残時間または加熱計測時間を時間表示部で表示しているか分かり易くすることができる。
【００１４】
第５の発明は、特に第１〜４のいずれか１つの発明において、複数の加熱手段の内で何れかの加熱手段の異常を検知すると、選択状態表示部にて、前記異常を検知した加熱手段に対応する個別表示ピクトを表示し、その他の加熱手段に対応する個別表示ピクトを非表示とし、時間表示部にて、タイマー残時間および加熱継続時間と識別可能な表示形態にて前記異常検知手段で検知した異常を示す表示を行うようにすることにより、どの加熱手段のタイマー残時間または加熱継続時間を時間表示部で表示しているか分かり易くしつつ、何れかの加熱手段に異常が発生した場合に、どの加熱手段の異常を時間表示部で表示しているか分かり易くすることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における加熱調理器のブロック図である。
【００１７】
図１に示すように、本実施の形態における加熱調理器は、右前加熱手段４、右後加熱手段５、左後加熱手段６、左前加熱手段７の４つの加熱手段を備えて、右電源リレー２または左電源リレー３を介して商用電源１と接続している。
【００１８】
各々の加熱手段は、加熱コイル４ａ、加熱コイル５ａ、加熱コイル６ａ、加熱コイル７ａおよびインバータ回路４ｂ、インバータ回路５ｂ、インバータ回路６ｂ、インバータ回路７ｂで構成され、右制御手段８が、右前加熱手段４と右後加熱手段５の出力を制御し、左制御手段９が、左後加熱手段６と左前加熱手段７の出力を制御する。
【００１９】
そして、各々の加熱手段で、インバータ回路４ｂ、インバータ回路５ｂ、インバータ回路６ｂ、インバータ回路７ｂより、それぞれ加熱コイル４ａ、加熱コイル５ａ、加熱コイル６ａ、加熱コイル７ａへ数十ｋＨｚの高周波電流を供給し、加熱コイルと磁気結合する鍋を誘導加熱する。
【００２０】
また、加熱手段を選択する選択手段である右前操作手段１１、右後操作手段１２、左後操作手段１３、左前操作手段１４を備えて、各々の加熱手段の加熱切／入や火力増減を操作する。
【００２１】
また、タイマー操作手段１５を備えて、右前加熱手段４〜左前加熱手段７の４つの加熱手段の中から任意の加熱手段を選択し、選択された加熱手段のタイマー残時間を設定する。
【００２２】
また、電源スイッチ１６を備えて、メイン電源の切／入操作を行う。
【００２３】
そして、操作表示手段１０が、右前操作手段１１、右後操作手段１２、左後操作手段１３、左前操作手段１４、タイマー操作手段１５、電源スイッチ１６からの入力に基づき、右前加熱手段４〜左前加熱手段７の４つの加熱手段の出力やタイマー残時間を設定する。
【００２４】
図２は、本発明の実施の形態１における加熱調理器の外観図である。
【００２５】
図２に示すように、機器を上面から見て、右前加熱手段４の加熱コイル４ａは右前、右後加熱手段５の加熱コイル５ａは右後、左後加熱手段６の加熱コイル６ａは左後、左前加熱手段７の加熱コイル７ａは左前に配置されており、操作表示する手段は、前方に配置されている。
【００２６】
図３は、本発明の実施の形態１における加熱調理器の全ての操作・表示手段を示す図である。
【００２７】
図３に示すように、タイマー操作手段１５を中央に配置し、その右側に右後操作手段１２と右前操作手段１１、左側に左後操作手段１３と左前操作手段１４を配置している。
【００２８】
また、右前操作手段１１の上部に右前表示手段１７、右後操作手段１２の上部に右後表示手段１８、左後操作手段１３の上部に左後表示手段１９、左前操作手段１４の上部に左前表示手段２０、タイマー操作手段１５の上部にタイマー表示手段２１を、それぞれ配置している。
【００２９】
図４は、本発明の実施の形態１における加熱調理器のタイマー表示手段の全表示を示す図である。
【００３０】
図４に示すように、タイマー表示手段２１は、レイアウト表示部２２、選択状態表示部２３、時間表示部２４、および時間ピクト２５で構成されており、更に、選択状態表示部２３は、右前指示ピクト２３ａ、右後指示ピクト２３ｂ、左後指示ピクト２３ｃ、および左前指示ピクト２３ｄで構成されている。そして、レイアウト表示部２２は、右前加熱手段４〜左前加熱手段７の４つの加熱手段のレイアウトを示すようにデザインされており、選択状態表示部２３の右前指示ピクト２３ａ〜左前指示ピクト２３ｄの４つのピクトは、レイアウト表示部２２にデザインされた各加熱手段の外側近傍に配置されている。
【００３１】
以上のように構成された加熱調理器について、その動作、作用を説明する。
【００３２】
操作表示手段１０は、電源スイッチ１６からの入力に基づき、電源オンを検知すると、自ら右電源リレー２および左電源リレー３をオンさせる、または右制御手段８および左制御手段９が右電源リレー２および左電源リレー３をオンするように制御して、商用電源１と右前加熱手段４〜左前加熱手段７の４つの加熱手段を接続し、右前操作手段１１、右後操作手段１２、左後操作手段１３、左前操作手段１４、タイマー操作手段１５からの入力を受け付け可能にする。
【００３３】
その後、操作表示手段１０は、右前操作手段１１の右前入／切キー１１ａからの入力に基づき右前加熱手段４の出力有無の設定を切り替え、右前操作手段１１の右前アップキー１１ｂまたは右前ダウンキー１１ｃからの入力に基づき右前加熱手段４の出力量の設定を増減させ、右後操作手段１２の右後入／切キー１２ａからの入力に基づき右後加熱手段５の出力有無の設定を切り替え、右後操作手段１２の右後アップキー１２ｂまたは右後ダウンキー１２ｃからの入力に基づき右後加熱手段５の出力量の設定を増減させ、左後操作手段１３の左後入／切キー１３ａからの入力に基づき左後加熱手段６の出力有無の設定を切り替え、左後操作手段１３の左後アップキー１３ｂまたは左後ダウンキー１３ｃからの入力に基づき左後加熱手段６の出力量の設定を増減させ、左前操作手段１４の左前入／切キー１４ａからの入力に基づき左前加熱手段７の出力有無の設定を切り替え、左前操作手段１４の左前アップキー１４ｂまたは左前ダウンキー１４ｃからの入力に基づき左前加熱手段７の出力量の設定を増減させる。
【００３４】
そして、右制御手段８は、操作表示手段１０より、右前加熱手段４の出力有無や出力量の設定と右後加熱手段５の出力有無や出力量の設定を入力して、右前加熱手段４と右後加熱手段５の出力を制御し、左制御手段９は、操作表示手段１０より、左後加熱手段６の出力有無や出力量の設定と左前加熱手段７の出力有無や出力量の設定を入力して、左後加熱手段６と左前加熱手段７の出力を制御する。
【００３５】
また、操作表示手段１０は、タイマー操作手段１５のタイマー選択キー１５ａの入力に基づき、右前加熱手段４選択→左前加熱手段７選択→左後加熱手段６選択→右後加熱手段５選択→選択なしの順で、右前加熱手段４〜左前加熱手段７の４つの加熱手段の中から選択し、選択された加熱手段に対して、タイマー操作手段１５のタイマーアップキー１５ｂまたはタイマーダウンキー１５ｃからの入力に基づきタイマー残時間を０分〜９９分の間で１分ずつ増減させる。
【００３６】
例えば、右前加熱手段４選択の状態で、右前加熱手段４のタイマー残時間が８８分に設定されている場合は、図５に示すように、タイマー表示手段２１のレイアウト表示部２２と選択状態表示部２３の右前指示ピクト２３ａと時間ピクト２５を点灯し、時間表示部２４に「８８」と表示する。
【００３７】
以上の構成により、タイマー表示手段２１のレイアウト表示部２２で、右前加熱手段４〜左前加熱手段７の４つの加熱手段のレイアウトを視覚的に認識させるとともに、選択状態表示部２３で、レイアウト表示部２２の選択された加熱手段に対応する部分の近傍の指示ピクトを点灯して、どの加熱手段のタイマー残時間を時間表示部２４で表示しているか分かり易くすることができる。
【００３８】
（実施の形態２）
図１は、本発明の実施の形態２における加熱調理器のブロック図であり、実施の形態１と同一の構成手段からなる。実施の形態１と異なる点は、操作表示手段１０が、右前加熱手段４〜左前加熱手段７の４つの加熱手段の各々についてタイマー残時間を設定可能な構成とし、タイマー表示手段２１の選択状態表示部２３にて、タイマー操作手段１５のタイマー選択キー１５ａで選択された加熱手段に対応する指示ピクトを点滅し、その他の加熱手段の内、前記タイマー残時間を設定している加熱手段に対応する指示ピクトを点灯し、それ以外の加熱手段に対応する指示ピクトを消灯するようにするようにしたことである。
【００３９】
以上のように構成された加熱調理器について、その動作、作用を説明する。
【００４０】
例えば、右前加熱手段４選択の状態で、右前加熱手段４のタイマー残時間が８８分に設定されていて、かつ他の右後加熱手段５〜左前加熱手段７の３つの加熱手段にもタイマー残時間が設定されている場合は、図６に示すように、タイマー表示手段２１のレイアウト表示部２２と時間ピクト２５を点灯し、選択状態表示部２３の右前指示ピクト２３ａを点滅、右後指示ピクト２３ｂ、左後指示ピクト２３ｃ、左前指示ピクト２３ｄを点灯し、時間表示部２４に「８８」と表示する。
【００４１】
以上の構成により、実施の形態１と同様の効果を得つつ、どの加熱手段にタイマー残時間設定があり、その内でどの加熱手段のタイマー残時間を時間表示部２４で表示しているか分かり易くすることができる。
【００４２】
（実施の形態３）
図１は、本発明の実施の形態３における加熱調理器のブロック図であり、実施の形態１と同一の構成手段からなる。実施の形態１と異なる点は、操作表示手段１０が、右前加熱手段４〜左前加熱手段７の４つの加熱手段の内で何れかの加熱手段の異常を検知すると、
選択状態表示部２３にて、前記異常を検知した加熱手段に対応する指示ピクトを点灯し、その他の加熱手段に対応する表示ピクトを消灯し、時間表示部２４にて、タイマー残時間と識別可能な表示形態として、「Ｈ＊」にて前記異常を示す表示を行うようにしたことである。
【００４３】
以上のように構成された加熱調理器について、その動作、作用を説明する。
【００４４】
例えば、右前加熱手段４の加熱コイル４ａ中央に配置された温度検知用サーミスタ（図１には図示していない）が断線した場合、図７に示すように、タイマー表示手段２１のレイアウト表示部２２と選択状態表示部２３の右前指示ピクト２３ａを点灯し、時間表示部２４に右前加熱手段４の加熱コイル４ａ中央に配置された温度検知用サーミスタが断線したことを示す「Ｈ１」と表示する。
【００４５】
以上の構成により、右前加熱手段４〜左前加熱手段７の４つの加熱手段の内で何れかの加熱手段に異常が発生した場合に、どの加熱手段の異常を時間表示部２４で表示しているか分かり易くすることができる。
【００４６】
なお、実施の形態１〜３において、選択状態表示部２３の右前指示ピクト２３ａ〜左前指示ピクト２３ｄの４つのピクトは、レイアウト表示部２２にデザインされた各加熱手段の外側近傍に配置しているが、レイアウト表示部２２の選択された加熱手段に対応する部分の中抜きの線の内側に配置しても、同様の効果を得ることができる。
【００４７】
また、タイマー表示手段２１で、タイマー残時間を表示しているが、加熱継続時間を表示する場合でも同様の効果を得ることができる。
【００４８】
更に、右前加熱手段４、右後加熱手段５、左後加熱手段６、左前加熱手段７は、鍋を誘導加熱する手段として記載しているが、ラジェントヒーター、ハロゲンヒーター、シーズヒーター等の鍋を加熱する手段であれば、同様の効果を得ることができる。
【産業上の利用可能性】
【００４９】
以上のように、本発明にかかる加熱調理器は、レイアウト表示部で複数の加熱手段のレイアウトを視覚的に認識させ、その近傍の個別表示ピクトでどの加熱手段が選択されているかを表示して、どの加熱手段のタイマー残時間または加熱継続時間を時間表示部で表示しているか分かり易くすることができるので、誘導加熱する手段や、ラジェントヒーター、ハロゲンヒーター、シーズヒーター等を使用、またはこれらを組み合わせた多口加熱調理器への用途にも適用できる。
【符号の説明】
【００５０】
１  商用電源
４  右前加熱手段
５  右後加熱手段
６  左後加熱手段
７  左前加熱手段
１１  右前操作手段
１２  右後操作手段
１３  左後操作手段
１４  左前操作手段
１５  タイマー操作手段
１５ａ  タイマー選択キー
２１  タイマー表示手段
２２  レイアウト表示部
２３  選択状態表示部
２３ａ  右前指示ピクト
２３ｂ  右後指示ピクト
２３ｃ  左後指示ピクト
２３ｄ  左前指示ピクト
２４  時間表示部
【図１】
2012248291.tif 000003
【図２】
2012248291.tif 000004
【図３】
2012248291.tif 000005
【図４】
2012248291.tif 000006
【図５】
2012248291.tif 000007
【図６】
2012248291.tif 000008
【図７】
2012248291.tif 000009